(57)【要約】      （修正有）【課題】水槽水の酸素溶存量を向上させ、水質を改善する濾過装置を提供する。【解決手段】ボックスの内部に、進水タンク、集水タンク１６、複数の濾過タンク１７を区画する。水槽の水を進水タンクに導き入れた後、水中ポンプで吸い上げ、外界空気を導入し、集水タンクに流入させる。その際の空気導入水の相互衝突により、空気がもっと水に溶ける。水は、さらに濾過タンクに入り、生物濾過球に接触するので、水中の有益微生物が生物濾過球に付着して、有害の微生物を食べる。これにより、水中の酸素溶解量が向上し、水生動物の生長に適合する環境が作られる。【選択図】図４
0003108805.tif 000002
【実用新案登録請求の範囲】
【請求項１】
水槽内に設けられるボックスを有し、そのボックスの内部にそれぞれ区画された進水タンクと、集水タンクと、複数の濾過タンクとを有し、進水タンクは水槽の水を導入する孔を有し、ボックス内の上部に進水タンクの水を汲み上げ、かつ吸気パイプをを経て外界空気を導入する水中ポンプを備えている。水中ポンプは汲み上げる際に外界空気を導入して汲み上げた水に混入させ、集水タンクに吐出する。集水タンクから溢出する水は濾過タンクに入る。濾過タンク内には複数の生物濾過球が収容されている。濾過タンクはその底部に設けてある孔から水槽に連通されている。以上の構成を有することを特徴とする水生動物用水槽の濾過装置。
【考案の詳細な説明】
【技術分野】
【０００１】
本考案は、水生動物用水槽の濾過装置に関する。
【背景技術】
【０００２】
所得が増すにつれて、人間は益々、有閑生活及び住環境の改善を重視する。住環境の美化以外、多くの人はペットを養うことで心を慰める。ペットは陸上動物の外、水生動物類も多い。水生動物を飼育する場合は、全て水槽を用いる。
【考案の開示】
【考案が解決しようとする課題】
【０００３】
しかしながら、従来は、食べ切れずに残った飼料又は水生動物の排泄物が水槽の汚染を招いて水質に悪い影響を及ぼすばかりでなく、水生動物の病気も引き起こしていた。同時に、水槽水の酸素含量がニーズに合わないので、濾過装置及びバブル発生装置を設置して、水の濾過と十分な酸素を提供し、水生動物の生長に適合する環境を作って水生動物の生存率を高める努力をしてきた。しかし、残念ながらバブル発生装置から出て来るバブルは重量が軽いため速やかに浮上してしまうので、酸素溶存時間が足りず、水中の酸素増加の効果があまりない。また、既知の濾過装置はただ排泄物の固体しか濾過できず、水中微生物に対しては濾過効果が全然ない。有害微生物に対処しないと、自然に水質の悪化を招く。これは、水生動物の生長にとって不利であるから、頻繁に水を交換しなければならない。水の頻繁な交換は、飼育者にとって不便であるから、改良しなければならない。
したがって、本考案の主な目的は、水槽水の酸素溶存量を向上させ、水質を改善する濾過装置を提供することにある。
【課題を解決するための手段】
【０００４】
上記課題を解決するため、本考案の濾過装置は、水槽内に設けられるボックスを有し、そのボックスの内部にそれぞれ区画された進水タンクと、集水タンクと、複数の濾過タンクとを有し、進水タンクは水槽の水を導入する孔を有し、ボックス内の上部に進水タンクの水を汲み上げ、かつ吸気パイプをを経て外界空気を導入する水中ポンプを備えている。水中ポンプは汲み上げる際に外界空気を導入して汲み上げた水に混入させ、集水タンクに吐出する。集水タンクから溢出する水は濾過タンクに入る。濾過タンク内には複数の生物濾過球が収容されている。濾過タンクはその底部に設けてある孔から水槽に連通されている。
上記構成により、水槽の水は進水タンクに導かれた後、水中ポンプで吸い上げられ、その際に外界空気を導入されて、空気が混入された水が集水タンクまで流れる。空気導入後の水の相互衝突により、空気が一層水中に溶ける。水はさらに濾過タンクに入り、そこで生物濾過球に接触するので、水中の有益微生物は生物濾過球に付着して有害微生物を食べる。従って、水中の酸素溶解量を向上させ、水生動物の生長に適合する環境を作るに至る。
【考案の効果】
【０００５】
水中ポンプを用いて水槽から吸い上げた水に外界空気を混入させ、その水を集水タンクに流入させて、空気導入後の水同士を相互衝突させるようにしたので、水槽水の酸素溶存量が格段に増える。また、集水タンクから溢出する水は濾過タンクで生物濾過球に接触する際に、水中の有益微生物が生物濾過球に付着して有害微生物を食べるので、生物濾過が達成される。また、集水タンクから濾過タンクに流入する水により生物濾過球が回転し、その際に水に酸素が均一に混合して、さらに水の酸素含有量が増える。従って、水生動物の生長に適合する環境が生成される。
【考案を実施するための最良の形態】
【０００６】
次に、本考案の実施の形態について図面に基づいて説明する。
図１は本考案の実施例の斜視図、図２は図１の分解斜視図、図３は図１の縦断面図、図４は作用を説明するための断面図である。
【０００７】
本考案による濾過装置は、図示されていないが、ハンガー式又は他の方式により、水槽内の一隅に取り付けられる。その濾過装置は、図１、図２及び図３に示すように、主に、ボックス１と、モーター式水中ポンプ２と、生物濾過球３と、その他の要素から構成されている。
【０００８】
ボックス１は、ほぼ中空三角柱体状に形成されており、水槽内の一隅に固定される。勿論、他の形状を採用してもよいし、異なる造形の水槽に適合する形状に作ることができる。ボックス１の底板１１の付近に下横間隔板１２を設け、下横間隔板１２と底板１１との間にドレーン・エリア１３を設けてある。ドレーン・エリア１３は間隔的に配設された複数の孔１３１を経て、水槽内と連通されている。一方、下横間隔板１２の上方エリアを複数の直立間隔板１４で中央の進水タンク１５と、両隅の集水タンク１６と、両タンク１５，１６の間の複数の濾過タンク１７とに区画してある。進水タンク１５はボックス１に間隔的に形成された複数の孔１５１を経て水槽と連通している。また、各濾過タンク１７の底部における下横間隔板１２には、複数の孔１２１が間隔的に配設されており、この孔を介して各濾過タンク１７とドレーン・エリア１３とが連通されている。
【０００９】
各濾過タンク１７には、任意数の生物濾過球３が収容されている。 生物濾過球３は、 外殻に多数の透孔を設けた中空球体３１の内部に、微生物が生息できる濾過材料３２を充填したものである。
【００１０】
さらに、ノッチをもつ上横間隔板１８により、進水タンク１５及び各濾過タンク１７の上方が覆われている。上横間隔板１８は進水タンク１５に対応する箇所に貫通孔１８１を有し、各濾過タンク１７に対応する箇所に複数の孔１８２を有する。
【００１１】
水中ポンプ２の吸い上げパイプは貫通孔１８１から進水タンク１５に入り、その先端にストレーナ２１が設けられている。水中ポンプの流出管２２は集水タンク１６まで延ばされている。流出管２２には吸気パイプ２３が接続されている。
【００１２】
ボックス１の上方開口はカバー・プレート１９により覆われている。水中ポンプ２の吸気パイプ２３及び導線２４はカバー・プレート１９のノッチ１９ｎからボックス１の外へ伸ばされている。後でノッチは密封される。
【００１３】
続いて、図３、図４を参照しながら作用を説明する。水中ポンプ２に電源を入れると、吸い上げパイプを介して進水タンク１５に設けてあるストレーナ２１から吸水力が生じる。それで、水槽の水を孔１５１から進水タンク１５まで吸い込む。次に、 流出管２２を 経由して集水タンク１６まで輸送する。これと同時に、吸気パイプ２３内に生じる吸引力は外界空気を流出管２２の中に導く。その空気は流出管２２の中で水と混ぜられ、一緒に集水タンク１６内に輸送される。集水タンク１６の底部は塞がれているので、入って来た水は先に存在していた水と互い衝撃する。これにより、空気と水が十分に混合するので、水中の酸素含量がアップする。
【００１４】
集水タンク１６の水は上横間隔板１８のレベルを越えると、各貫通孔１８１から濾過タンク１７に入る。各濾過タンク１７に入った水は内部に放
置された生物濾過球３を通過しているうちに、生物濾過球３の多数の透孔を有する球体３１と当たるので、酸素を水に均一に混ぜるばかりでなく、水中の酸素含量も向上される。同時に、水中に残存している有益微生物が流水により球体３１の内部の濾過体３２に付着する。さらに、その有益微生物は有害微生物を食べ、水質を改善する。球体３１に当たった後の水は濾過タンク１７の底部の孔１２１を経由し、底部のドレーン・エリア１３まで流れる。そして、孔１３１から水槽へ出る。以後、循環を繰り返すことにより、水中の酸素含量が増すばかりでなく、同時に水質も改善されるので、水生動物の生長に適合する環境を作ることができる。
【図面の簡単な説明】
【００１５】
【図１】本考案の濾過装置の理想的な実施例の斜視図。
【図２】図１の濾過装置の分解斜視図。
【図３】同じく縦断面図。
【図４】同じく作用を説明する断面図。
【符号の説明】
【００１６】
１      ボックス
２      水中ポンプ
３      生物濾過球
１１      底板
１２      下横間隔版
１３      ドレーン・エリア
１４      直立間隔板
１５      進水タンク
１６      集水タンク
１７      濾過タンク
１２１、１５１、１８２      孔
３１      球体
３２      濾過体
１８      上横間隔版
１８１    貫通孔
２１      吸い上げパイプ
２３      吸気パイプ
１９      カバー・プレート
２４      導線
【図１】
0003108805.tif 000003
【図２】
0003108805.tif 000004
【図３】
0003108805.tif 000005
【図４】
0003108805.tif 000006
【手続補正書】
【提出日】平成16年11月17日(2004.11.17)
【手続補正１】
【補正対象書類名】実用新案登録請求の範囲
【補正対象項目名】請求項１
【補正方法】変更
【補正の内容】
【請求項１】
（１）水槽内に設置されるボックス。
（２）前記ボックスの内部に形成され、前記水槽の水を導入する孔を有する進水タンク。（３）前記ボックスの内部に形成された集水タンク。
（４）前記ボックスの内部に形成され、前記集水タンクから溢出する水を受入れる、底部に前記水槽に連通する孔を有する複数の濾過タンク。
（５）前記ボックス内の上部に備えられ、前記進水タンクの水を汲み上げ、かつ、吸気パイプを経て外界空気を導入して、その空気を混入した水を前記集水タンクに吐出する水中ポンプ。
（６）前記濾過タンク内に収容された複数の生物濾過球。
以上の構成からなる水生動物用水槽の濾過装置。
【手続補正２】
【補正対象書類名】明細書
【補正対象項目名】０００４
【補正方法】変更
【補正の内容】
【０００４】
上記課題を解決するため、本考案の濾過装置は、次の構成からなることを特徴としている。
（１）水槽内に設置されるボックス。
（２）前記ボックスの内部に形成され、前記水槽の水を導入する孔を有する進水タンク。（３）前記ボックスの内部に形成された集水タンク。
（４）前記ボックスの内部に形成され、前記集水タンクから溢出する水を受入れる、底部に前記水槽に連通する孔を有する複数の濾過タンク。
（５）前記ボックス内の上部に備えられ、前記進水タンクの水を汲み上げ、かつ、吸気パイプを経て外界空気を導入して、その空気を混入した水を前記集水タンクに吐出する水中ポンプ。
（６）前記濾過タンク内に収容された複数の生物濾過球。
上記構成により、水槽の水は進水タンクに導かれた後、水中ポンプで吸い上げられ、その際に外界空気を導入されて、空気が混入された水が集水タンクまで流れる。空気導入後の水の相互衝突により、空気が一層水中に溶ける。水はさらに濾過タンクに入り、そこで生物濾過球に接触するので、水中の有益微生物は生物濾過球に付着して有害微生物を食べる。従って、水中の酸素溶解量を向上させ、水生動物の生長に適合する環境を作るに至る。